(57)【要約】【課題】振動波の振幅を自在に設定することができ、破損しにくく、力強い振動波を発生することのできる振動発生器を備えた高周波バルーンカテーテルシステムを提供する。【解決手段】外部振動発生装置42は、注射器55と、回転盤57に連結するクランク58により駆動されて往復運動するピストン56とを備えた。ピストン56により注射器内筒54を往復運動させ、振動波Ｗの振幅と周期を注射器55の口径と回転盤57の回転数により調節することにより、振動波Ｗの振幅を自在に設定することができ、破損しにくく、力強い振動波Ｗを発生することができる振動発生器を備えた高周波バルーンカテーテルシステムを提供することができる。【選択図】図２
2010240004.tif 000002
【特許請求の範囲】
【請求項１】
互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに回転盤に連結するクランクにより駆動されて往復運動するピストンとを備え、前記注射器内筒は前記ピストンに固定されており、前記ピストンの前方運動により前記注射器内筒が押されることによって前記注射器の充填液が前記送液路へ駆出されて前記バルーンが拡張し、前記ピストンの後方運動により前記注射器内筒が引かれることによって前記送液路の充填液が前記注射器に吸引されて前記バルーンが収縮するように構成されるとともに、前記振動波の振幅と周期は、前記注射器の口径と前記回転盤の回転数により自在に調節可能に構成されたことを特徴とする高周波加温バルーンカテーテルシステム。
【請求項２】
互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに回転盤に連結するクランクにより駆動されて往復運動するピストンとを備え、前記注射器内筒は前記ピストンに固定されておらず、前記注射器外筒と前記ピストンとの距離は調整可能に構成されており、前記ピストンの前方運動により前記注射器内筒が押されることによって前記注射器の充填液が前記送液路へ駆出されて前記バルーンが拡張し、前記ピストンの後方運動に伴い前記バルーンが収縮することによって前記送液路の充填液が前記注射器へ流れるように構成されるとともに、前記振動波の振幅と周期は、前記注射器の口径と前記回転盤の回転数により自在に調節可能に構成され、前記注射器の充填液の駆出時間は、前記注射器外筒と前記ピストンとの距離により自在に調節可能に構成されたことを特徴とする高周波加温バルーンカテーテルシステム。
【請求項３】
互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に固定されるとともに回転盤に連結するクランクにより駆動されて往復運動するダイアフラムとを備え、前記注射器内筒は前記ダイアフラムに固定されており、前記ダイアフラムの前方運動により前記注射器内筒が押されることによって前記注射器の充填液が前記送液路へ駆出されて前記バルーンが拡張し、前記ダイアフラムの後方運動により前記注射器内筒が引かれることによって前記送液路の充填液が前記注射器に吸引されて前記バルーンが収縮するように構成されるとともに、前記振動波の振幅と周期は、前記注射器の口径と前記回転盤の回転数により自在に調節可能に構成されたことを特徴とする高周波加温バルーンカテーテルシステム。
【請求項４】
互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に固定されるとともに回転盤に連結するクランクにより駆動されて往復運動するダイアフラムとを備え、前記注射器内筒は前記ダイアフラムに固定されておらず、前記注射器外筒と前記ダイアフラムとの距離は調整可能に構成されており、前記ダイアフラムの前方運動により前記注射器内筒が押されることによって前記注射器の充填液が前記送液路へ駆出されて前記バルーンが拡張し、前記ダイアフラムの後方運動に伴い前記バルーンが収縮することによって前記送液路の充填液が前記注射器へ流れるように構成されるとともに、前記振動波の振幅と周期は、前記注射器の口径と前記回転盤の回転数により自在に調節可能に構成され、前記注射器の充填液の駆出時間は、前記注射器外筒と前記ダイアフラムとの距離により自在に調節可能に構成されたことを特徴とする高周波加温バルーンカテーテルシステム。
【請求項５】
互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに周期的に磁力を発生する電磁石の磁力により駆動されて往復運動するピストン型永久磁石とを備え、前記注射器内筒は前記ピストン型永久磁石に固定されており、前記振動波の振幅と周期及び前記注射器の充填液の駆出時間は、前記電磁石に印加する電流の大きさと周期と時間により自在に調節可能に構成されたことを特徴とする高周波加温バルーンカテーテルシステム。
【請求項６】
互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに周期的に磁力を発生する電磁石の磁力により駆動されて往復運動するピストン型永久磁石とを備え、前記注射器外筒と前記ピストン型永久磁石との距離は調整可能に構成されており、前記振動波の振幅と周期及び前記注射器の充填液の駆出時間は、前記電磁石に印加する電流の大きさと周期と時間により自在に調節可能に構成されたことを特徴とする高周波加温バルーンカテーテルシステム。
【発明の詳細な説明】
【技術分野】
【０００１】
本発明は、心臓疾患などを治療するために用いられる高周波加温バルーンカテーテルシステムに関する。
【背景技術】
【０００２】
高周波加温バルーンカテーテルシステムにおいては、バルーンの内液を撹拌してその温度を均一に保つために、バルーンの内部に振動波を与える振動発生器が用いられている。そして、従来の振動発生器としては、例えば、特許文献１に記載されているように、ローラー式のポンプを改造したものが知られている。
【０００３】
この特許文献１に記載の振動発生器は、連結チューブの弾性を利用したものであり、チューブをローラーで圧迫することで充填液を駆出し、チューブの圧迫を止めることでチューブをその弾性により復元させて充填液を吸引し、これを反復することにより振動波を送るように構成されている。
【０００４】
しかし、この構造では、振動波の振幅を自在に設定することができず、連結チューブがローラーでしごかれるので破損しやすいという欠点があった。また、チューブの弾性を充填液の吸引に利用しているため、力強い振動波を発生することができないという問題があった。
【先行技術文献】
【特許文献】
【０００５】
【特許文献１】特開２００５−１８５６６１号公報
【発明の概要】
【発明が解決しようとする課題】
【０００６】
そこで、本発明は上記問題点に鑑み、振動波の振幅を自在に設定することができ、破損しにくく、力強い振動波を発生することのできる振動発生器を備えた高周波バルーンカテーテルシステムを提供することを目的とする。
【課題を解決するための手段】
【０００７】
本発明の高周波加温バルーンカテーテルシステムは、互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに回転盤に連結するクランクにより駆動されて往復運動するピストンとを備え、前記注射器内筒は前記ピストンに固定されており、前記ピストンの前方運動により前記注射器内筒が押されることによって前記注射器の充填液が前記送液路へ駆出されて前記バルーンが拡張し、前記ピストンの後方運動により前記注射器内筒が引かれることによって前記送液路の充填液が前記注射器に吸引されて前記バルーンが収縮するように構成されるとともに、前記振動波の振幅と周期は、前記注射器の口径と前記回転盤の回転数により自在に調節可能に構成されたことを特徴とする。
【０００８】
また、互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに回転盤に連結するクランクにより駆動されて往復運動するピストンとを備え、前記注射器内筒は前記ピストンに固定されておらず、前記注射器外筒と前記ピストンとの距離は調整可能に構成されており、前記ピストンの前方運動により前記注射器内筒が押されることによって前記注射器の充填液が前記送液路へ駆出されて前記バルーンが拡張し、前記ピストンの後方運動に伴い前記バルーンが収縮することによって前記送液路の充填液が前記注射器へ流れるように構成されるとともに、前記振動波の振幅と周期は、前記注射器の口径と前記回転盤の回転数により自在に調節可能に構成され、前記注射器の充填液の駆出時間は、前記注射器外筒と前記ピストンとの距離により自在に調節可能に構成されたことを特徴とする。
【０００９】
また、互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に固定されるとともに回転盤に連結するクランクにより駆動されて往復運動するダイアフラムとを備え、前記注射器内筒は前記ダイアフラムに固定されており、前記ダイアフラムの前方運動により前記注射器内筒が押されることによって前記注射器の充填液が前記送液路へ駆出されて前記バルーンが拡張し、前記ダイアフラムの後方運動により前記注射器内筒が引かれることによって前記送液路の充填液が前記注射器に吸引されて前記バルーンが収縮するように構成されるとともに、前記振動波の振幅と周期は、前記注射器の口径と前記回転盤の回転数により自在に調節可能に構成されたことを特徴とする。
【００１０】
また、互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に固定されるとともに回転盤に連結するクランクにより駆動されて往復運動するダイアフラムとを備え、前記注射器内筒は前記ダイアフラムに固定されておらず、前記注射器外筒と前記ダイアフラムとの距離は調整可能に構成されており、前記ダイアフラムの前方運動により前記注射器内筒が押されることによって前記注射器の充填液が前記送液路へ駆出されて前記バルーンが拡張し、前記ダイアフラムの後方運動に伴い前記バルーンが収縮することによって前記送液路の充填液が前記注射器へ流れるように構成されるとともに、前記振動波の振幅と周期は、前記注射器の口径と前記回転盤の回転数により自在に調節可能に構成され、前記注射器の充填液の駆出時間は、前記注射器外筒と前記ダイアフラムとの距離により自在に調節可能に構成されたことを特徴とする。
【００１１】
また、互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに周期的に磁力を発生する電磁石の磁力により駆動されて往復運動するピストン型永久磁石とを備え、前記注射器内筒は前記ピストン型永久磁石に固定されており、前記振動波の振幅と周期及び前記注射器の充填液の駆出時間は、前記電磁石に印加する電流の大きさと周期と時間により自在に調節可能に構成されたことを特徴とする。
【００１２】
また、互いにスライド可能な外筒シャフトと内筒シャフトとから構成されたカテーテルシャフトと、前記外筒シャフトの先端部と前記内筒シャフトの先端部近傍との間に設けられたバルーンと、前記バルーンの中心部に設けられた高周波通電用電極と、前記高周波通電用電極に高周波エネルギーを供給する外部高周波発生装置と、前記バルーンの内部に設けられた温度センサーと、前記温度センサーの温度を検知する外部温度計と、前記外筒シャフトと前記内筒シャフトとの間に形成され前記バルーンの内部に通じる送液路と、前記送液路を介して前記バルーンの内部に振動波を与える外部振動発生装置と、前記バルーンを標的部位に誘導するガイドワイアーとを備えた高周波加温バルーンカテーテルシステムにおいて、前記外部振動発生装置は、シリンダーの内部に固定された注射器外筒とこの注射器外筒に挿入された注射器内筒とからなる注射器と、前記シリンダーの内部に摺動可能に設けられるとともに周期的に磁力を発生する電磁石の磁力により駆動されて往復運動するピストン型永久磁石とを備え、前記注射器外筒と前記ピストン型永久磁石との距離は調整可能に構成されており、前記振動波の振幅と周期及び前記注射器の充填液の駆出時間は、前記電磁石に印加する電流の大きさと周期と時間により自在に調節可能に構成されたことを特徴とする。
【発明の効果】
【００１３】
本発明の高周波加温バルーンカテーテルシステムによれば、外部振動発生装置は、注射器と、回転盤に連結するクランクにより駆動されて往復運動するピストンとを備え、ピストンにより注射器内筒を往復運動させ、振動波の振幅と周期を注射器の口径と回転盤の回転数により調節することにより、振動波の振幅を自在に設定することができ、破損しにくく、力強い振動波を発生することができる振動発生器を備えた高周波バルーンカテーテルシステムを提供することができる。
【００１４】
また、外部振動発生装置は、注射器と、回転盤に連結するクランクにより駆動されて往復運動するダイアフラムとを備え、ダイアフラムにより注射器内筒を往復運動させ、振動波の振幅と周期を注射器の口径と回転盤の回転数により調節することにより、振動波の振幅を自在に設定することができ、破損しにくく、力強い振動波を発生することができる振動発生器を備えた高周波バルーンカテーテルシステムを提供することができる。
【００１５】
また、外部振動発生装置は、注射器と、電磁石の磁力により駆動されて往復運動するピストン型永久磁石とを備え、振動波の振幅と周期及び注射器の充填液の駆出時間を電磁石に印加する電流の大きさと周期と時間により調節することにより、振動波の振幅を自在に設定することができ、破損しにくく、力強い振動波を発生することができる振動発生器を備えた高周波バルーンカテーテルシステムを提供することができる。
【図面の簡単な説明】
【００１６】
【図１】本発明の実施例１の高周波加温バルーンカテーテルシステムの全体構成を示す模式図である。
【図２】本発明の実施例１の高周波加温バルーンカテーテルシステムの外部振動発生器を示す模式図である。
【図３】本発明の実施例１の高周波加温バルーンカテーテルシステムの外部振動発生器の動作を示す模式図である。
【図４】本発明の実施例１の高周波加温バルーンカテーテルシステムの外部振動波の振幅の経時変化を示すグラフである。
【図５】本発明の実施例２の高周波加温バルーンカテーテルシステムの外部振動発生器を示す模式図である。
【図６】本発明の実施例３の高周波加温バルーンカテーテルシステムの外部振動発生器を示す模式図である。
【図７】本発明の実施例３の高周波加温バルーンカテーテルシステムの外部振動発生器を示す模式図である。
【図８】本発明の高周波加温バルーンカテーテルシステムの使用状態を示す模式図である。
【発明を実施するための形態】
【００１７】
以下、本発明の高周波加温バルーンカテーテルシステムの実施例について、添付した図面を参照しながら詳細に説明する。
【実施例１】
【００１８】
本実施例の高周波加温バルーンカテーテルシステムを示す図１〜図３において、１はカテーテルシャフトであって、このカテーテルシャフト１は、互いにスライド可能に構成された外筒シャフト２と内筒シャフト３とから構成されている。そして、外筒シャフト２の先端部４と内筒シャフト３の先端部５近傍との間には、バルーン６が設けられている。バルーン６は、ポリウレタンなどの合成樹脂から形成されており、内部に液体が充填されることによって略球形に膨らむようになっている。
【００１９】
バルーン６の内部において、バルーン６の中心部には、バルーン６の内部を加熱するための高周波通電用電極７が内筒シャフト３にコイル状に巻回されて設けられている。高周波通電用電極７は単極構造であって、カテーテルシャフト１の外部に設けられた図示しない対極板との間で高周波通電を行うように構成されている。そして、高周波通電することによって、高周波通電用電極７が発熱するようになっている。なお、高周波通電用電極７を双極構造として、両極間にて高周波通電を行うように構成してもよい。
【００２０】
また、バルーン６の内部において、内筒シャフト３の先端部５近傍に、バルーン６の内部の温度を検知する温度センサー８が固定されている。そして、バルーン６の内部において、内筒シャフト３の基端部９側には、高周波通電用電極７に接して高周波通電用電極７の温度を検知するための電極温度センサー10が固定されている。
【００２１】
外筒シャフト２と内筒シャフト３との間には、バルーン６の内部に通じる送液路11が形成されている。また、バルーン６を標的部位に誘導するためのガイドワイアー12が内筒シャフト３を挿通して設けられている。
【００２２】
温度センサー８と高周波通電用電極７との間には、断熱材21が挿入されている。このようすることによって、温度センサー８が高周波通電用電極７により直接加熱されること防止して、バルーン６の内部の温度を正確に検知することができるようになっている。
【００２３】
内筒シャフト３の先端部５近傍には、バルーン６の外面に接してバルーン外部熱遮断用ノブ26が設けられている。これにより、バルーン６の内部における内筒シャフト３の先端部５近傍に設けられた温度センサー８が、バルーン６と接触する血液などの温度の影響を受けることを防止して、バルーン６の内部の温度を正確に検知することができるようになっている。なお、バルーン外部熱遮断用ノブ26の中心には内筒シャフト３が貫通しており、バルーン外部熱遮断用ノブ26は内筒シャフト３に固定されている。
【００２４】
カテーテルシャフト１の外部には、高周波通電用電極７にバルーン６を加温するための高周波エネルギーを供給する外部高周波発生装置31と、温度センサー８により検知された温度を表示する外部温度計32と、電極温度センサー10により検知された温度を表示する外部電極温度計33が設けられている。高周波通電用電極７と外部高周波発生装置31はリード線34により電気的に接続され、温度センサー８と外部温度計32、電極温度センサー10と外部電極温度計33は、それぞれリード線35，36により電気的に接続されている。そして、内筒シャフト３の先端部５と基端部９の間において、リード線34，35，36は内筒シャフト３に固定されている。
【００２５】
さらに、カテーテルシャフト１の外部には、送液路11を通じてバルーン６に液体を供給するシリンジ41と、送液路11を通じてバルーン６へ非対称の振動波Ｗを与えてバルーンの内部に定常的に渦Ｓを発生させる外部振動発生器42が設けられている。そして、シリンジ41によってバルーン６に供給される液体の圧力を変化させることにより、バルーン６の直径が変化するように構成されている。また、渦Ｓによって、バルーン６の内部の液体が撹拌されてバルーン６の内部の温度が均一に保たれるようになっている。
【００２６】
外部振動発生器42を詳細に示す図２において、外部振動発生装置42は、シリンダー51を備え、シリンダー51の内部には、固定装置52により注射器外筒53が固定されている。注射器外筒53には、注射器内筒54が挿入され、注射器外筒53と注射器内筒54により注射器55が構成されている。また、シリンダー51の内部には、摺動可能にピストン56が設けられており、ピストン56は、回転盤57に連結するクランク58により駆動されるようになっている。また、注射器55の先端は、三方活栓59、連結管60を介して、カテーテルシャフト１に接続している。
【００２７】
ここで、注射器内筒54は、ピストン56に固定されていてもよく、ピストン56に固定されていなくてもよい。
【００２８】
そして、注射器内筒54がピストン56に固定されている場合は、図３（Ａ）に示すように、ピストン56の前方運動により注射器内筒54が押されることによって、注射器55の充填液が送液路11へ駆出されてバルーン６が拡張する。また、ピストン56の後方運動により注射器内筒54が引かれることによって、送液路11の充填液が注射器55に吸引されてバルーン６が収縮する。すなわち、ピストン56の後方運動が始まると、ピストン56の後方運動によって注射器55内は陰圧となり、送液路11内液とバルーン６内液とを吸引する力が加わる。そして、ピストン56の前後の往復運動により、振動波Ｗが発生する。
【００２９】
一方、注射器内筒54がピストン56に固定されていない場合は、注射器外筒53とピストン56との距離は調整可能に構成されている。そして、図３（Ｂ）に示すように、ピストン56の前方運動により注射器内筒54が押されることによって注射器55の充填液が送液路11へ駆出されてバルーン６が拡張する。また、ピストン56の後方運動に伴いバルーン６が収縮することによって、送液路11の充填液が注射器55へ流れる。すなわち、ピストン56の後方運動が始まると、バルーン６は収縮して送液路11を経て充填液を注射器55内に送る。このとき、バルーン６の収縮力のみによって充填液が動く。そして、ピストン56の前後の往復運動により、振動波Ｗが発生する。
【００３０】
注射器内筒54がピストン56に連結している場合と、注射器内筒54がピストン56から解離している場合における、それぞれの振動波Ｗの振幅の経時変化を図４に示す。ピストン56の前方運動によって注射器55内の充填液はバルーン６内へ向かって駆出され、大きく上昇するカーブを描く。続いて、ピストン56の後方運動によりバルーン６内液は吸引される。なお、注射器内筒54とピストン56が連結されている場合と連結されていない場合は、いずれの場合も振動波は発生するがその形状は異なる。前者では対称的振動波となり、後者では非対称的振動波となる。
【００３１】
なお、振動波Ｗの振幅は、注射器55の筒の直径、すなわち口径を変えることにより自在に調節することができる。振動波Ｗの周期は、回転盤57の回転数により自在に調節することができる。さらに、注射器内筒54がピストン56から解離している場合において、注射器55の充填液の駆出時間は、注射器外筒53とピストン56との距離により自在に調節することができる。
【００３２】
つぎに、本実施例の高周波加温バルーンカテーテルシステムの使用方法について説明する。
【００３３】
はじめに、送液路11、バルーン６の内部は、生理食塩水や造影剤などの液体をシリンジ41から注入してエアー抜きを行う。そして、外筒シャフト２の先端部４と内筒シャフト３の先端部５の距離が最大になるように外筒シャフト２と内筒シャフト３を相互にスライドさせた状態で、バルーン６を収縮させる。
【００３４】
ガイドワイアー12を用いて、カテーテルシャフト１を導入するための鞘状のガイヂングシースを患者体内の標的部位の近くに挿入する。そして、ガイヂングシースの中に収縮したバルーン６を挿入し、バルーン６を標的部位近傍に留置する。
【００３５】
つぎに、シリンジ41より液体を注入してバルーン６を拡張させる。ここで、外筒シャフト２の先端部４と内筒シャフト３の先端部５との距離を調整することにより、バルーン６の長さを調整し、シリンジ41によってバルーン６に供給される液体の圧力を調整することにより、バルーン６の直径を調整する。そして、標的部位にバルーン６を押し当てる。
【００３６】
つづいて、内筒シャフト３の基端部９から高周波通電用電極７、温度センサー８、電極温度センサー10にそれぞれ接続されたリード線34、35、36を、それぞれ高周波発生器31、温度計32、電極温度計33に接続する。そして、温度計32と電極温度計33を見ながら高周波発生器31の出力を上げていく。また、振動発生器42を起動させると、回転盤57が回転し、クランク58によってピストン56の往復運動が始まり、これと接する注射器内筒54は前後に動き振動波Ｗを発生する。この振動波Ｗによってバルーン６内は撹拌され、バルーン温度は均一化する。そして、バルーン６の表面温度と通電時間を調整しながら、バルーン６が接触する標的部位をアブレーションする。
【００３７】
以上のように、本実施例の高周波加温バルーンカテーテルシステムは、互いにスライド可能な外筒シャフト２と内筒シャフト３とから構成されたカテーテルシャフト１と、前記外筒シャフト２の先端部４と前記内筒シャフト３の先端部５近傍との間に設けられたバルーン６と、前記バルーン６の中心部に設けられた高周波通電用電極７と、前記高周波通電用電極７に高周波エネルギーを供給する外部高周波発生装置31と、前記バルーン６の内部に設けられた温度センサー８と、前記温度センサー８の温度を検知する外部温度計32と、前記外筒シャフト２と前記内筒シャフト３との間に形成され前記バルーン６の内部に通じる送液路11と、前記送液路11を介して前記バルーン６の内部に振動波Ｗを与える外部振動発生装置42と、前記バルーン６を標的部位に誘導するガイドワイアー12とを備えた高周波加温バルーンカテーテルシステムにおいて、前記外部振動発生装置42は、シリンダー51の内部に固定された注射器外筒53とこの注射器外筒53に挿入された注射器内筒54とからなる注射器55と、前記シリンダー51の内部に摺動可能に設けられるとともに回転盤57に連結するクランク58により駆動されて往復運動するピストン56とを備え、前記注射器内筒54は前記ピストン56に固定されており、前記ピストン56の前方運動により前記注射器内筒54が押されることによって前記注射器55の充填液が前記送液路11へ駆出されて前記バルーン６が拡張し、前記ピストン56の後方運動により前記注射器内筒54が引かれることによって前記送液路11の充填液が前記注射器55に吸引されて前記バルーン６が収縮するように構成されるとともに、前記振動波Ｗの振幅と周期は、前記注射器55の口径と前記回転盤57の回転数により自在に調節可能に構成されたものである。
【００３８】
或いは、互いにスライド可能な外筒シャフト２と内筒シャフト３とから構成されたカテーテルシャフト１と、前記外筒シャフト２の先端部４と前記内筒シャフト３の先端部５近傍との間に設けられたバルーン６と、前記バルーン６の中心部に設けられた高周波通電用電極７と、前記高周波通電用電極７に高周波エネルギーを供給する外部高周波発生装置31と、前記バルーン６の内部に設けられた温度センサー８と、前記温度センサー８の温度を検知する外部温度計32と、前記外筒シャフト２と前記内筒シャフト３との間に形成され前記バルーン６の内部に通じる送液路11と、前記送液路11を介して前記バルーン６の内部に振動波Ｗを与える外部振動発生装置42と、前記バルーン６を標的部位に誘導するガイドワイアー12とを備えた高周波加温バルーンカテーテルシステムにおいて、前記外部振動発生装置42は、シリンダー51の内部に固定された注射器外筒53とこの注射器外筒53に挿入された注射器内筒54とからなる注射器55と、前記シリンダー51の内部に摺動可能に設けられるとともに回転盤57に連結するクランク58により駆動されて往復運動するピストン56とを備え、前記注射器内筒54は前記ピストン56に固定されておらず、前記注射器外筒53と前記ピストン56との距離は調整可能に構成されており、前記ピストン56の前方運動により前記注射器内筒54が押されることによって前記注射器55の充填液が前記送液路11へ駆出されて前記バルーン６が拡張し、前記ピストン56の後方運動に伴い前記バルーン６が収縮することによって前記送液路11の充填液が前記注射器55へ流れるように構成されるとともに、前記振動波Ｗの振幅と周期は、前記注射器55の口径と前記回転盤57の回転数により自在に調節可能に構成され、前記注射器55の充填液の駆出時間は、前記注射器外筒53と前記ピストン56との距離により自在に調節可能に構成されたものである。
【００３９】
本実施例の高周波加温バルーンカテーテルシステムによれば、外部振動発生装置42は、注射器55と、回転盤57に連結するクランク58により駆動されて往復運動するピストン56とを備え、ピストン56により注射器内筒54を往復運動させ、振動波Ｗの振幅と周期を注射器55の口径と回転盤57の回転数により調節することにより、振動波Ｗの振幅を自在に設定することができ、破損しにくく、力強い振動波Ｗを発生することができる振動発生器を備えた高周波バルーンカテーテルシステムを提供することができる。
【００４０】
また、注射器55として、新しい使い捨ての滅菌済み注射筒を使用することにより、破損の可能性は少なく破損しても交換が簡単である。また、直径の異なる注射筒を使用すれば、容易に振動波Ｗの振幅を変更できる。さらに、注射器内筒54をピストン56に連結することにより、駆出のみならず吸引も強い外力でおこなえるので、スムーズな力強い振動波Ｗの生成が可能である。
【実施例２】
【００４１】
本実施例の高周波加温バルーンカテーテルシステムは、外部振動発生器42の構成のみ実施例１と異なる。すなわち、ピストンの往復運動がダイアフラムの往復運動に変わっただけであり、原理は実施例１と同じである。以下、実施例１と同じ部分については同じ符号を付してその詳細な説明を省略する。
【００４２】
本実施例の高周波加温バルーンカテーテルシステムの外部振動発生器42を詳細に示す図５において、外部振動発生装置42は、シリンダー51を備え、シリンダー51の内部には、固定装置52により注射器外筒53が固定されている。注射器外筒53には、注射器内筒54が挿入され、注射器外筒53と注射器内筒54により注射器55が構成されている。また、シリンダー51の内部には、ダイアフラム61が固定されて設けられており、ダイアフラム61は、回転盤57に連結するクランク58により駆動されるようになっている。また、注射器55の先端は、三方活栓59、連結管60を介して、カテーテルシャフト１に接続している。
【００４３】
ここで、注射器内筒54は、ダイアフラム61に固定されていてもよく、ダイアフラム61に固定されてなくてもよい。
【００４４】
そして、注射器内筒54がダイアフラム61に固定されている場合は、ダイアフラム61の前方運動により注射器内筒54が押されることによって、注射器55の充填液が送液路11へ駆出されてバルーン６が拡張する。また、ダイアフラム61の後方運動により注射器内筒54が引かれることによって、送液路11の充填液が注射器55に吸引されてバルーン６が収縮する。すなわち、ダイアフラム61の後方運動が始まると、ダイアフラム61の後方運動によって注射器55内は陰圧となり、送液路11内液とバルーン６内液とを吸引する力が加わる。そして、ダイアフラム61の前後の往復運動により、振動波Ｗが発生する。
【００４５】
一方、注射器内筒54がダイアフラム61に固定されていない場合は、注射器外筒53とダイアフラム61との距離は調整可能に構成されている。そして、ダイアフラム61の前方運動により注射器内筒54が押されることによって注射器55の充填液が送液路11へ駆出されてバルーン６が拡張する。また、ダイアフラム61の後方運動に伴いバルーン６が収縮することによって、送液路11の充填液が注射器55へ流れる。すなわち、ダイアフラム61の後方運動が始まると、バルーン６は収縮して送液路11を経て充填液を注射器55内に送る。このとき、バルーン６の収縮力のみによって充填液が動く。そして、ダイアフラム61の前後の往復運動により、振動波Ｗが発生する。
【００４６】
なお、振動波Ｗの振幅は、注射器55の筒の直径、すなわち口径を変えることにより自在に調節することができる。振動波Ｗの周期は、回転盤57の回転数により自在に調節することができる。さらに、注射器内筒54がダイアフラム61から解離している場合において、注射器55の充填液の駆出時間は、注射器外筒53とダイアフラム61との距離により自在に調節することができる。
【００４７】
以上のように、本実施例の高周波加温バルーンカテーテルシステムは、互いにスライド可能な外筒シャフト２と内筒シャフト３とから構成されたカテーテルシャフト１と、前記外筒シャフト２の先端部４と前記内筒シャフト３の先端部５近傍との間に設けられたバルーン６と、前記バルーン６の中心部に設けられた高周波通電用電極７と、前記高周波通電用電極７に高周波エネルギーを供給する外部高周波発生装置31と、前記バルーン６の内部に設けられた温度センサー８と、前記温度センサー８の温度を検知する外部温度計32と、前記外筒シャフト２と前記内筒シャフト３との間に形成され前記バルーン６の内部に通じる送液路11と、前記送液路11を介して前記バルーン６の内部に振動波Ｗを与える外部振動発生装置42と、前記バルーン６を標的部位に誘導するガイドワイアー12とを備えた高周波加温バルーンカテーテルシステムにおいて、前記外部振動発生装置42は、シリンダー51の内部に固定された注射器外筒53とこの注射器外筒53に挿入された注射器内筒54とからなる注射器55と、前記シリンダー51の内部に固定されるとともに回転盤57に連結するクランク58により駆動されて往復運動するダイアフラム61とを備え、前記注射器内筒54は前記ダイアフラム61に固定されており、前記ダイアフラム61の前方運動により前記注射器内筒54が押されることによって前記注射器55の充填液が前記送液路11へ駆出されて前記バルーン６拡張し、前記ダイアフラム61の後方運動により前記注射器内筒54が引かれることによって前記送液路11の充填液が前記注射器55に吸引されて前記バルーン６が収縮するように構成されるとともに、前記振動波Ｗの振幅と周期は、前記注射器55の口径と前記回転盤57の回転数により自在に調節可能に構成されたものである。
【００４８】
或いは、互いにスライド可能な外筒シャフト２と内筒シャフト３とから構成されたカテーテルシャフト１と、前記外筒シャフト２の先端部４と前記内筒シャフト３の先端部５近傍との間に設けられたバルーン６と、前記バルーン６の中心部に設けられた高周波通電用電極７と、前記高周波通電用電極７に高周波エネルギーを供給する外部高周波発生装置31と、前記バルーン６の内部に設けられた温度センサー８と、前記温度センサー８の温度を検知する外部温度計32と、前記外筒シャフト２と前記内筒シャフト３との間に形成され前記バルーン６の内部に通じる送液路11と、前記送液路11を介して前記バルーン６の内部に振動波Ｗを与える外部振動発生装置42と、前記バルーン６を標的部位に誘導するガイドワイアー12とを備えた高周波加温バルーンカテーテルシステムにおいて、前記外部振動発生装置42は、シリンダー51の内部に固定された注射器外筒53とこの注射器外筒53に挿入された注射器内筒54とからなる注射器55と、前記シリンダー51の内部に固定されるとともに回転盤57に連結するクランク58により駆動されて往復運動するダイアフラム61とを備え、前記注射器内筒54は前記ダイアフラム61に固定されておらず、前記注射器外筒53と前記ダイアフラム61との距離は調整可能に構成されており、前記ダイアフラム61の前方運動により前記注射器内筒54が押されることによって前記注射器55の充填液が前記送液路11へ駆出されて前記バルーン６が拡張し、前記ダイアフラム61の後方運動に伴い前記バルーン６が収縮することによって前記送液路11の充填液が前記注射器55へ流れるように構成されるとともに、前記振動波Ｗの振幅と周期は、前記注射器55の口径と前記回転盤57の回転数により自在に調節可能に構成され、前記注射器55の充填液の駆出時間は、前記注射器外筒53と前記ダイアフラム61との距離により自在に調節可能に構成されたものである。
【００４９】
本実施例の高周波加温バルーンカテーテルシステムによれば、外部振動発生装置42は、注射器55と、回転盤57に連結するクランク58により駆動されて往復運動するダイアフラム61とを備え、ダイアフラム61により注射器内筒54を往復運動させ、振動波Ｗの振幅と周期を注射器55の口径と回転盤57の回転数により調節することにより、振動波Ｗの振幅を自在に設定することができ、破損しにくく、力強い振動波Ｗを発生することができる振動発生器を備えた高周波バルーンカテーテルシステムを提供することができる。
【実施例３】
【００５０】
本実施例の高周波加温バルーンカテーテルシステムは、外部振動発生器42の構成のみ実施例１と異なる。以下、実施例１と同じ部分については同じ符号を付してその詳細な説明を省略する。
【００５１】
本実施例の高周波加温バルーンカテーテルシステムの外部振動発生器42を詳細に示す図６、７において、外部振動発生装置42は、シリンダー51を備え、シリンダー51の内部には、注射器外筒53が固定されている。注射器外筒53には、注射器内筒54が挿入され、注射器外筒53と注射器内筒54により注射器55が構成されている。また、シリンダー51の内部には、ピストン型永久磁石71が摺動可能に設けられている。また、シリンダー51の内部には、電磁石72が固定されている。そして、ピストン型永久磁石71は、周期的に磁力を発生する電磁石72の磁力により駆動されて往復運動するように構成されている。電磁石72は、電源73、スイッチ盤74を備えており、スイッチ盤74により電源73からの電力供給をオン、オフ可能に構成されている。また、スイッチ盤74は、回転型のスイッチであり、電磁石72を一定周期でオン、オフ制御するように構成されている。そして、電磁石72がオン状態のときに、ピストン型永久磁石71が電磁石72と反発して前方に移動するようになっている。
【００５２】
そして、図６に示すように、電磁石72がオン状態になると、ピストン型永久磁石71の前方運動により注射器内筒54が押されることによって注射器55の充填液が送液路11へ駆出されてバルーン６が拡張する。また、図７に示すように、電磁石72がオフ状態になると、電磁石72は磁力を失い、電磁石72の心棒はただの鉄棒となるので、ピストン型永久磁石71とこの鉄棒は引きつけあい、ピストン型永久磁石71は後方に移動する。そして、ピストン型永久磁石71の後方運動に伴いバルーン６が収縮することによって、送液路11の充填液が注射器55へ流れる。すなわち、ピストン型永久磁石71の後方運動が始まると、バルーン６は収縮して送液路11を経て充填液を注射器55内に送る。このとき、バルーン６の収縮力のみによって充填液が動く。なお、注射器内筒54は、ピストン型永久磁石71に固定されていてもよく、その場合は、ピストン型永久磁石71の後方運動により注射器内筒54が引かれることによって、送液路11の充填液が注射器55に吸引されてバルーン６が収縮する。そして、ピストン型永久磁石71の前後の往復運動により、振動波Ｗが発生する。
【００５３】
なお、振動波Ｗの振幅と周期及び注射器55の充填液の駆出時間は、電磁石72に印加する電流の大きさと周期と時間により自在に調節することができる。
【００５４】
以上のように、本実施例の高周波加温バルーンカテーテルシステムは、互いにスライド可能な外筒シャフト２と内筒シャフト３とから構成されたカテーテルシャフト１と、前記外筒シャフト２の先端部４と前記内筒シャフト３の先端部５近傍との間に設けられたバルーン６と、前記バルーン６の中心部に設けられた高周波通電用電極７と、前記高周波通電用電極７に高周波エネルギーを供給する外部高周波発生装置31と、前記バルーン６の内部に設けられた温度センサー８と、前記温度センサー８の温度を検知する外部温度計32と、前記外筒シャフト２と前記内筒シャフト３との間に形成され前記バルーン６の内部に通じる送液路11と、前記送液路11を介して前記バルーン６の内部に振動波Ｗを与える外部振動発生装置42と、前記バルーン６を標的部位に誘導するガイドワイアー12とを備えた高周波加温バルーンカテーテルシステムにおいて、前記外部振動発生装置42は、シリンダー51の内部に固定された注射器外筒53とこの注射器外筒53に挿入された注射器内筒54とからなる注射器55と、前記シリンダー51の内部に摺動可能に設けられるとともに周期的に磁力を発生する電磁石72の磁力により駆動されて往復運動するピストン型永久磁石71とを備え、前記注射器内筒54は前記ピストン型永久磁石71に固定されており、前記振動波Ｗの振幅と周期及び前記注射器55の充填液の駆出時間は、前記電磁石72に印加する電流の大きさと周期と時間により自在に調節可能に構成されたものである。
【００５５】
或いは、互いにスライド可能な外筒シャフト２と内筒シャフト３とから構成されたカテーテルシャフト１と、前記外筒シャフト２の先端部４と前記内筒シャフト３の先端部５近傍との間に設けられたバルーン６と、前記バルーン６の中心部に設けられた高周波通電用電極７と、前記高周波通電用電極７に高周波エネルギーを供給する外部高周波発生装置31と、前記バルーン６の内部に設けられた温度センサー８と、前記温度センサー８の温度を検知する外部温度計32と、前記外筒シャフト２と前記内筒シャフト３との間に形成され前記バルーン６の内部に通じる送液路11と、前記送液路11を介して前記バルーン６の内部に振動波Ｗを与える外部振動発生装置42と、前記バルーン６を標的部位に誘導するガイドワイアー12とを備えた高周波加温バルーンカテーテルシステムにおいて、前記外部振動発生装置42は、シリンダー51の内部に固定された注射器外筒53とこの注射器外筒53に挿入された注射器内筒54とからなる注射器55と、前記シリンダー51の内部に摺動可能に設けられるとともに周期的に磁力を発生する電磁石72の磁力により駆動されて往復運動するピストン型永久磁石71とを備え、前記注射器外筒53と前記ピストン型永久磁石71との距離は調整可能に構成されており、前記振動波Ｗの振幅と周期及び前記注射器55の充填液の駆出時間は、前記電磁石72に印加する電流の大きさと周期と時間により自在に調節可能に構成されたものである。
【００５６】
本実施例の高周波加温バルーンカテーテルシステムによれば、外部振動発生装置42は、注射器55と、電磁石72の磁力により駆動されて往復運動するピストン型永久磁石71とを備え、振動波Ｗの振幅と周期及び注射器55の充填液の駆出時間を電磁石72に印加する電流の大きさと周期と時間により調節することにより、振動波Ｗの振幅を自在に設定することができ、破損しにくく、力強い振動波Ｗを発生することができる振動発生器を備えた高周波バルーンカテーテルシステムを提供することができる。
【実施例４】
【００５７】
本実施例においては、本発明の実施例１の高周波加温バルーンカテーテルシステムを心房細動（ＡＦ）アブレーションの治療に応用する例を示す。高周波加温バルーンカテーテルシステムによれば、従来の電極カテーテルを用いる点状焼灼と異なり面で焼灼するので、肺静脈隔離のみならず肺静脈前庭部や左心房後壁の隔離を同時に短時間でおこなうことができ、治療効果は良くなる。しかし広範囲アブレーションのための横隔膜神経麻痺や食道潰瘍などの隣接臓器への傷害が問題となるが、このときこのシステムにて外部振動発生器42を次のごとく用いて均一な焼灼をおこなうとこれを回避できる。
【００５８】
図８に示すように、薬剤抵抗性ＡＦを有する患者にて、全身麻酔下で、挿管して人工呼吸を行いながら、本発明の高周波加温バルーンカテーテルシステムを用いて全肺静脈を含む左心房後壁の隔離を行った。予め、バルーン６内、送液路11、連結管60及び注射器55内に、生理食塩水と造影剤の混合溶液を充填し、注射器55は外部振動発生装置42のハウジング内に固定し、注射器内筒54近位端は外部振動発生装置42のピストン56に接触するようセットした。大腿静脈よりバルーン６を挿入し、全肺静脈の造影後、ＩＣＥを用いて肺静脈口の直径と壁厚を計測し、前庭部にバルーン６を楔入し、壁厚にあわせて通電時間を決定し（厚さ２ｍｍでは２分間、厚さ３ｍｍでは３分間）、バルーン６直径に応じて中心温度を６５から７５度に設定し、出力５０〜１５０Ｗにて高周波通電を行いながら、外部振動発生装置42を作動させた。このとき、バルーン６内に重力に対して上下方向の渦Ｓが起こるように振動波Ｗの振幅と周期を調節した。肺静脈前庭部隔離し、バルーン６をドラッグしながら、天蓋部の上肺静脈間と左心房後壁底辺部の下肺静脈間にブロックラインを形成した。
【００５９】
このようにして、１００症例に適用したところ、１年間追跡では発作性ＡＦ（６３例）の９４％、持続性ＡＦ（３７例）の８６％が薬剤フリーとなった。また、隣接臓器への傷害はおこらなかった。
【００６０】
高周波加温バルーンカテーテルシステムでは、高周波電流は直接組織には流れず、印加されるエネルギーの大部分はバルーン６内充填液を加熱するのに使われる。同時に外部振動発生装置42を用いて振動波Ｗの振幅と周期を調節し、バルーン６内に重力に対して上下方向の渦Ｓを発生させると、対流による温度格差が打ち消されて、バルーン６全体が均一に温まり、このバルーン６と接触する組織が熱伝導によって均一に焼灼される。このとき、バルーン６中心部から組織深部にかけてなだらかな負の温度勾配が成立する。バルーン６からの熱伝導による組織の焼灼深度は、バルーン接触温度と高周波通電時間とに比例し、バルーン接触温度が６０度のとき通電時間２分では約２ｍｍの焼灼深度となり、通電時間が３分では約３ｍｍの焼灼深度となる。そこで、予め心内エコーを用いて標的部位の壁厚を計測し、温度と通電時間を設定すれば、標的組織のみを焼灼治療して、隣接臓器への障害はおこらない。
【００６１】
外部高周波発生装置31と外部振動発生装置42を併用した高周波加温バルーンカテーテルシステムによる全肺静脈を含む左心房後壁隔離術は、ＡＦに対する安全で有用な治療法である。
【符号の説明】
【００６２】
１  カテーテルシャフト
２  外筒シャフト
３  内筒シャフト
４  先端部
５  先端部
６  バルーン
７  高周波通電用電極
８  温度センサー
11  送液路
12  ガイドワイアー
31  外部高周波発生装置
32  外部温度計
42  外部振動発生装置
51  シリンダー
53  注射器外筒
54  注射器内筒
55  注射器
56  ピストン
57  回転盤
58  クランク
61  ダイアフラム
71  ピストン型永久磁石
72  電磁石
Ｗ  振動波
【図１】
2010240004.tif 000003
【図２】
2010240004.tif 000004
【図３】
2010240004.tif 000005
【図４】
2010240004.tif 000006
【図５】
2010240004.tif 000007
【図６】
2010240004.tif 000008
【図７】
2010240004.tif 000009
【図８】
2010240004.tif 000010